(57)【要約】【課題】棒材の径に合わせたガイド部材の調整をワンタッチで簡単に行うことができ、操作性に優れたものとする。【解決手段】全ネジカッタ１において、本体部２の上面で固定刃６０と可動刃６１とによる切断位置の延長線上に、径が異なる複数の全ネジボルトに対応して位置決め可能な第１〜第３のガイド面８３〜８５を備えたガイド部材７７が、各ガイド面８３〜８５の位置がそれぞれ異なる第１、第２のガイド姿勢を選択可能に設けられている。【選択図】図１２
2019030937.tif 000002
【特許請求の範囲】
【請求項１】
一対の切断刃によって棒材を剪断加工する棒材切断機であって、
前記切断刃による切断位置の延長線上に、径が異なる複数の前記棒材に対応して位置決め可能な複数のガイド面を備えたガイド部材が、前記ガイド面の位置がそれぞれ異なる複数のガイド姿勢を選択可能に設けられていることを特徴とする棒材切断機。
【請求項２】
前記切断刃は、前記切断刃を剪断動作させる作動機構を収容するハウジングから上方へ突出し、前記ガイド部材は、前記棒材の側面に当接する上下方向の第１のガイド面と、前記棒材の下面に当接する左右方向の第２のガイド面とをそれぞれ備えて、前記ガイド姿勢の選択により前記第１、第２のガイド面の位置を変更可能であることを特徴とする請求項１に記載の棒材切断機。
【請求項３】
前記ガイド部材は、前記ガイド姿勢の選択により、前記第１、第２のガイド面の位置を同時に変更可能であることを特徴とする請求項２に記載の棒材切断機。
【請求項４】
前記第１のガイド面と前記第２のガイド面とは一体に形成されていることを特徴とする請求項３に記載の棒材切断機。
【請求項５】
前記ガイド部材は、前記第１のガイド面と前記第２のガイド面とが直交して形成される横断面Ｌ字形状を有し、前後方向を軸として回転させることで前記ガイド姿勢が選択可能であることを特徴とする請求項３又は４に記載の棒材切断機。
【請求項６】
前記ガイド部材は、前記第１のガイド面と前記第２のガイド面とが露出して第１の径の前記棒材が当接可能な第１のガイド姿勢と、前記第１のガイド面と前記第２のガイド面とが前記ハウジング内に退避して、新たに露出する第３のガイド面に前記第１の径よりも大きい第２の径の前記棒材が当接可能な第２のガイド姿勢と、に選択可能であることを特徴とする請求項５に記載の棒材切断機。
【請求項７】
前記ハウジングに、前記ガイド部材の前記第２のガイド姿勢で前記第２の径の前記棒材の側面が当接可能な固定ガイド板が設けられていることを特徴とする請求項６に記載の棒材切断機。
【発明の詳細な説明】
【技術分野】
【０００１】
本発明は、全ネジボルト等の棒材を切断するための棒材切断機に関する。
【背景技術】
【０００２】
棒材切断機は、特許文献１乃至３に例示されるように、例えば固定刃と可動刃とからなる一対の切断刃を備えてハウジングから先端を露出させ、ハウジング内に設けたモータ及びカムを介して切断刃を剪断動作させて全ネジボルト等の棒材を切断可能としている。
このような棒材切断機においては、切断刃に対して棒材を固定（位置決め）するガイド部材が設けられる。特に、特許文献１では、径が異なる棒材を切断刃の間で位置決めできるように、切断刃の後方に、ツマミネジ（ガイド部材）を直交方向にねじ込むことでハウジングとの間で全ネジボルトを固定する構造（図３）が開示されている。また、特許文献２には、切断刃の側方に、固定ボルトによってスライド位置を調整可能なスライド板（ガイド部材）を設けて、ハウジング側の案内リブとスライド板の端部に立ち上げ形成した保持片との間で全ネジボルトを挟持して固定する構造が開示されている。さらに、特許文献３には、ハウジングに、全ネジボルトの異なる径に対応する複数の切断支持部を備えた支持具（ガイド部材）を着脱可能に設けて、角度を変えて装着することで、使用する切断支持部を選択できるようにした発明が開示されている。
【先行技術文献】
【特許文献】
【０００３】
【特許文献１】特開平７−２９９６４１号公報
【特許文献２】特開平１０−２０２４１８号公報
【特許文献３】特開２００４−２９１１３４号公報
【発明の概要】
【発明が解決しようとする課題】
【０００４】
特許文献１，２の構造では、全ネジボルトの径に合わせて調整するために、ツマミネジを回転させたり固定ボルトを回転させたりする操作が必要となるため、位置決めに手間や時間がかかる。特許文献３では、支持具を一旦取り外して装着し直す必要が生じ、これも手間や時間がかかって調整が面倒となっている。
【０００５】
そこで、本発明は、棒材の径に合わせたガイド部材の調整をワンタッチで簡単に行うことができ、操作性に優れる棒材切断機を提供することを目的としたものである。
【課題を解決するための手段】
【０００６】
上記目的を達成するために、請求項１に記載の発明は、一対の切断刃によって棒材を剪断加工する棒材切断機であって、
切断刃による切断位置の延長線上に、径が異なる複数の棒材に対応して位置決め可能な複数のガイド面を備えたガイド部材が、ガイド面の位置がそれぞれ異なる複数のガイド姿勢を選択可能に設けられていることを特徴とする。
請求項２に記載の発明は、請求項１の構成において、切断刃は、切断刃を剪断動作させる作動機構を収容するハウジングから上方へ突出し、ガイド部材は、棒材の側面に当接する上下方向の第１のガイド面と、棒材の下面に当接する左右方向の第２のガイド面とをそれぞれ備えて、ガイド姿勢の選択により第１、第２のガイド面の位置を変更可能であることを特徴とする。
請求項３に記載の発明は、請求項２の構成において、ガイド部材は、ガイド姿勢の選択により、第１、第２のガイド面の位置を同時に変更可能であることを特徴とする。
請求項４に記載の発明は、請求項３の構成において、第１のガイド面と第２のガイド面とは一体に形成されていることを特徴とする。
請求項５に記載の発明は、請求項３又は４の構成において、ガイド部材は、第１のガイド面と第２のガイド面とが直交して形成される横断面Ｌ字形状を有し、前後方向を軸として回転させることでガイド姿勢が選択可能であることを特徴とする。
請求項６に記載の発明は、請求項５の構成において、ガイド部材は、第１のガイド面と第２のガイド面とが露出して第１の径の棒材が当接可能な第１のガイド姿勢と、第１のガイド面と第２のガイド面とがハウジング内に退避して、新たに露出する第３のガイド面に第１の径よりも大きい第２の径の棒材が当接可能な第２のガイド姿勢と、に選択可能であることを特徴とする。
請求項７に記載の発明は、請求項６の構成において、ハウジングに、ガイド部材の第２のガイド姿勢で第２の径の棒材の側面が当接可能な固定ガイド板が設けられていることを特徴とする。
【発明の効果】
【０００７】
請求項１に記載の発明によれば、ガイド部材のガイド姿勢を選択するだけで、棒材の径に合わせたガイド部材の調整をワンタッチで簡単に行うことができる。よって、操作性に優れたものとなる。
請求項２に記載の発明によれば、請求項１の効果に加えて、ガイド部材は、上下方向の第１のガイド面と左右方向の第２のガイド面とをそれぞれ備えて、ガイド姿勢の選択により第１、第２のガイド面の位置を変更可能であるので、小径の棒材であってもガイド部材で簡単に位置決めすることができる。
請求項３に記載の発明によれば、請求項２の効果に加えて、ガイド部材は、ガイド姿勢の選択により第１、第２のガイド面の位置を同時に変更可能であるので、棒材の径に合わせたガイド姿勢の変更を容易に行うことができる。
請求項４に記載の発明によれば、請求項３の効果に加えて、第１のガイド面と第２のガイド面とは一体に形成されているので、２つのガイド面を備えたガイド部材を簡単に形成可能となる。
請求項５に記載の発明によれば、請求項３又は４の効果に加えて、ガイド部材は、第１のガイド面と第２のガイド面とが直交して形成される横断面Ｌ字形状を有し、前後方向を軸として回転させることでガイド姿勢が選択可能であるので、回転操作によってガイド姿勢の選択が容易に行える。
請求項６に記載の発明によれば、請求項５の効果に加えて、ガイド部材は、第１のガイド面と第２のガイド面とが露出して第１の径の棒材が当接可能な第１のガイド姿勢と、第１のガイド面と第２のガイド面とがハウジング内に退避して、新たに露出する第３のガイド面に第２の径の棒材が当接可能な第２のガイド姿勢とに選択可能であることで、２種類の径の棒材に対して簡単に位置決めが可能となる。
請求項７に記載の発明によれば、請求項６の効果に加えて、ハウジングに、ガイド部材の第２のガイド姿勢で第２の径の棒材の側面が当接可能な固定ガイド板が設けられているので、当該棒材を確実に位置決めすることができる。
【図面の簡単な説明】
【０００８】
【図１】全ネジカッタの側面図である。
【図２】全ネジカッタの正面図である。
【図３】全ネジカッタの背面図である。
【図４】全ネジカッタの中央縦断面図である。
【図５】ゲージを装着した全ネジカッタの側面図である。
【図６】前カバーを省略した状態の全ネジカッタの正面図である。
【図７】ＬＥＤホルダの説明図で、（Ａ）は後方からの斜視、（Ｂ）は前方からの斜視をそれぞれ示す。
【図８】ＬＥＤホルダの説明図で、（Ａ）は正面、（Ｂ）は平面、（Ｃ）は左側面、（Ｄ）は右側面をそれぞれ示す。
【図９】前カバー及び作動機構を省略してＬＥＤホルダの組み付け状態を示す説明図で、（Ａ）は正面、（Ｂ）は側面をそれぞれ示す。
【図１０】ＬＥＤホルダによる透明部分を示す説明図で、（Ａ）は平面、（Ｂ）は側面をそれぞれ示す。
【図１１】作動機構の閉動作を示す説明図で、（Ａ）は中央縦断面、（Ｂ）はＡ−Ａ線断面をそれぞれ示す。
【図１２】ガイド部材の前端部分での断面説明図で、（Ａ）は第１のガイド姿勢、（Ｂ）は第２のガイド姿勢をそれぞれ示す。
【図１３】大径の全ネジボルトをセットした状態の説明図で、（Ａ）は側面、（Ｂ）は背面をそれぞれ示す。
【図１４】小径の全ネジボルトをセットした状態の説明図で、（Ａ）は側面、（Ｂ）は背面をそれぞれ示す。
【図１５】カバーを装着した全ネジカッタの側面図である。
【図１６】カバーの斜視図である。
【図１７】カバーの説明図で、（Ａ）は正面、（Ｂ）は平面、（Ｃ）は底面、（Ｄ）は右側面をそれぞれ示す。
【図１８】大径の全ネジボルトの定置切断状態を示す側面図である。
【図１９】大径の全ネジボルトの定置切断状態を示す全ネジボルト部分での断面図である。
【発明を実施するための形態】
【０００９】
以下、本発明の実施の形態を図面に基づいて説明する。
図１〜４に、棒材切断機の一例である全ネジカッタを示す。図１は側面、図２は正面、図３は背面、図４は中央縦断面をそれぞれ示している。
この全ネジカッタ１は、前後方向の本体部２と、本体部２から斜め後ろへ下向きに延びるハンドル部３と、ハンドル部３の下端に設けられるバッテリー装着部４とを備える。ハンドル部３の前方で本体部２の前部とバッテリー装着部４の前部との間には、支持バー５が架設されている。全ネジカッタ１のハウジング６は、本体部２とハンドル部３とバッテリー装着部４と支持バー５とを連接した左右一対の半割ハウジング６ａ，６ｂを左右からネジ止めし、本体部２を形成する左右の半割ハウジング６ａ，６ｂの前方から、別体の前カバー７をネジ止めすることで形成される。本体部２の後部左側面には、吊り下げ用のフック８の一端が回転可能に連結されている。このフック８は、本体部２の外面に沿って前方へ引き回されて右側面に設けた係止部９に係止させる収納位置から、係止部９から外して後方へ突出させる使用位置へ回転可能となっている。
【００１０】
本体部２の前部上面には、切断刃としての後述する固定刃６０と可動刃６１とにより、棒材としての全ネジボルトを切断する切断部１０が設けられている。切断部１０の左右には、半割ハウジング６ａ，６ｂと前カバー７とにより、正面視が台形状で上方に突出する右側ガード部１１と、正面視が三角形状で右側ガード部１１よりも低い高さで上方に突出する左側ガード部１２とが形成されて、固定刃６０と可動刃６１とを外側から覆っている。
右側ガード部１１の上部には、六角孔１３が前後方向に貫通形成されて、この六角孔１３に、図５に示すように、全ネジボルトの長さ方向での切断位置を決めるための横断面六角形状の棒状のゲージ１４を遊挿可能となっている。右側ガード部１１のハウジング６ｂ側の右側面には、六角孔１３を貫通させたゲージ１４を外側から押圧して固定するツマミネジ１５がねじ込み可能となっている。このゲージ１４により、前端を壁に当接させて全ネジボルトを定寸切断したり、ゲージ１４上に記された目盛りに合わせて切断したりすることができる。
また、右側ガード部１１内には、図６にも示すように、六角孔１３内に外周面の一部が突出する円柱状のラバーピン１６が設けられている。よって、六角孔１３に遊挿されたゲージ１４は、ツマミネジ１５で固定しない状態でもラバーピン１６に押圧されて仮止めされ、不意に六角孔１３から抜け落ちることが防止される。
【００１１】
左側ガード部１２の後側の一部は、前カバー７と左側の半割ハウジング６ａとの間に配置されるＬＥＤホルダ１７により形成されている。このＬＥＤホルダ１７は、透明な樹脂で一体形成され、図７，８に示すように、半割ハウジング６ａと前カバー７との間に挟持されて上面が三角形状となり、可動刃６１の後方に位置する後方部分としての左右方向の後壁部１８と、後壁部１８の上部で三角形状に沿って形成され、後壁部１８から前側へ突出して可動刃６１の上方に位置する上方部分としての上壁部１９と、後壁部１８の右側で内側に突出する水平な仕切部２０とを備えてなる。後壁部１８の下部には、前カバー７を半割ハウジング６ａにネジ止めするために半割ハウジング６ａに設けられたネジボス２２（図９）が貫通する透孔２１が形成されると共に、後面には、保持片２３，２３・・が突設されている。この保持片２３，２３・・で囲まれる空間で半割ハウジング６ａとの間に、光源としてのＬＥＤ２５を内側に向けたＬＥＤ基板２４（図６，９）が保持されている。
【００１２】
このＬＥＤホルダ１７は、図９に示すように、半割ハウジング６ａの前側で後壁部１８を、透孔２１にネジボス２２を貫通させて、半割ハウジング６ａに設けた横向きのリブ２６に載置させた状態で、前カバー７を組み付けることで、半割ハウジング６ａと前カバー７との間で挟持固定される。この状態で、図１０に示すように、上壁部１９が、前カバー７の上部に設けた前側切欠き２７に嵌合して前カバー７の一部を形成すると共に、仕切部２０が、半割ハウジング６ａの上面において切断部１０に設けた内側切欠き２８に嵌合して半割ハウジング６ａの一部を形成する。
こうしてＬＥＤホルダ１７を組み付けた状態では、図１０に斜線で示すように、透明な後壁部１８と上壁部１９、仕切部２０とが本体部２の外部に表れ、これらの透明部分を介して切断部１０、特に可動刃６１の動きを外から容易に視認できる。また、ＬＥＤ２５の発光により、切断部１０を照明することができるため、暗所の作業でも視認性は確保できる。
【００１３】
一方、ハンドル部３内の上側には、図４に示すように、トリガ３０を突出させたスイッチ２９が収容され、スイッチ２９の上側には、正逆切替ボタン３１が設けられている。
また、バッテリー装着部４の内部には、回路基板からなるコントローラ３２が収容されて、その下方に設けた端子台３３に、電源となるバッテリーパック３４が前方からスライド装着可能となっている。コントローラ３２の回路基板には、ブラシレスモータ４０の端部に設けられたセンサ回路基板で検知されたロータ４４の回転位置情報に基づいて制御信号を送信する制御回路、この制御回路から受信した制御信号に基づいてブラシレスモータ４０の電流をスイッチングする駆動回路、及びバッテリーパック３４の状態の検出結果に応じて過放電又は過電流状態とならないようにブラシレスモータ４０への電力供給を遮断するオートストップ回路等が搭載されている。
【００１４】
そして、図４及び図１１に示すように、本体部２には、後方から、ブラシレスモータ４０、減速機構４１、作動機構４２が順番に収容されている。
ブラシレスモータ４０は、ステータ４３と、ステータ４３を貫通するロータ４４とを有し、ロータ４４の中心に設けた回転軸４５を前向きにした姿勢で本体部２内に保持されている。ステータ４３の後側で回転軸４５には、遠心ファン４６が設けられ、本体部２の左右の側面でステータ４３の前側には、吸気口４７，４７・・（図１，５等）が、遠心ファン４６の外側には、排気口４８，４８・・（図１，５等）がそれぞれ形成されている。回転軸４５の前端には、ピニオン４９が固定されている。
【００１５】
減速機構４１は、本体部２内に保持されるギヤハウジング５０内において、遊星歯車５２，５２を保持するキャリア５１，５１・・を軸方向に三段配置してなる遊星歯車式で、一段目のキャリア５１の遊星歯車５２を、回転軸４５のピニオン４９に噛合させている。三段目のキャリア５１の軸心には、出力ギヤ５３が一体に連結されている。出力ギヤ５３は、後端がギヤハウジング５０に、前端が、ギヤハウジング５０に前方から固定される支持板５４に、それぞれ軸受５５，５５を介して支持されている。
【００１６】
作動機構４２は、図６，１１にも示すように、固定刃６０と、可動刃６１と、可動刃６１が固定される揺動体６２と、揺動体６２を支持する揺動軸６３と、揺動体６２及び揺動軸６３に支持されるリターンプレート６４と、可動刃６１を開閉動作させるカム６５とを備えている。
固定刃６０は、切断部１０において、本体部２の上面よりも上側で右側ガード部１１の下部に、半円状の刃部６０ａを内側へ向けた姿勢で固定されている。
可動刃６１は、固定刃６０よりも前側で揺動体６２の上部後面に、半円状の刃部６１ａを内側へ向けて固定されている。
揺動体６２は、出力ギヤ５３の上側でギヤハウジング５０及び支持板５４により前後方向に支持される揺動軸６３によって回転可能に支持され、揺動軸６３の左側で下端には、カムローラ６６が、連結軸６７を介して回転可能に固定されている。
【００１７】
リターンプレート６４は、揺動体６２の前側に位置して上部が揺動軸６３によって回転可能に支持され、左側が連結軸６７によって揺動体６２と一体に固定されている。また、リターンプレート６４の下部には、半月状のカム孔６８が形成されている。
カム６５は、出力ギヤ５３の下方でギヤハウジング５０及び支持板５４によって前後方向に支持されて回転可能なカムシャフト６９を有し、カムシャフト６９に結合された大径の減速ギヤ７０が、出力ギヤ５３と噛合している。カム６５は、支持板５４の前方でカムシャフト６９の前端に、偏心位置で一体に形成され、周面にカム面７１を有する正面視半月状で、カム面７１の円弧部分寄りの前面には、リターンプレート６４のカム孔６８の内面に当接するガイドローラ７２が設けられている。
【００１８】
この作動機構４２において、図６のように、可動刃６１が固定刃６０から離れる開状態では、カム６５は右側の回転位置にあってガイドローラ７２をカム孔６８の直線部分に当接させることで、リターンプレート６４を介して揺動体６２を開放位置に保持している。ここからカム６５が正面視で正回転（図６で見て左回転）すると、カムローラ６６がカム６５のカム面７１に乗り上がってカム面７１の円弧部分を相対的に転動することで、揺動体６２が揺動軸６３を中心に左回転し、可動刃６１を固定刃６０へ近づける閉動作を行う。そして、カムローラ６６がカム面７１の円弧部分の反対側に達すると、図１１に示すように、可動刃６１は固定刃６０に前側で重なって刃部６０ａ，６１ａ同士を交差させる。ここからカム６５が回転を続けると、ガイドローラ７２がリターンプレート６４のカム孔６８内を転動してリターンプレート６４を介して揺動体６２を右回転させ、可動刃６１を固定刃６０から離間させる開動作を行わせる。
【００１９】
そして、本体部２の上面で切断部１０の後方には、全ネジボルトの位置決め用のガイド部７５が設けられている。このガイド部７５は、図１，３〜４，１０等に示すように、固定刃６０の後方で本体部２の半割ハウジング６ｂに立設された固定ガイド板７６と、固定ガイド板７６の内側に設けられたガイド部材７７とを備えている。
固定ガイド板７６は、前後方向に立設された壁体で、前後の内面は、図１３に示すように、大径の全ネジボルトＢ１を固定刃６０の刃部６０ａにセットした状態で、当該全ネジボルトＢ１の側面が当接するように、刃部６０ａの右側内面の後方延長上に位置する外ガイド面７８，７８となっている。外ガイド面７８，７８の間は、右側へ凹む嵌合部７９となっている。
【００２０】
ガイド部材７７は、図４に示すように、固定ガイド板７６の内側で本体部２の上面に凹設された収容部８０内で、前後方向の軸８１によって回転可能に支持されている。ガイド部材７７における回転中心との偏心位置には、固定ガイド板７６の嵌合部７９に前後位置を合わせたガイド片８２が突設されて、ガイド部材７７は横断面Ｌ字形状を有している。このガイド片８２により、ガイド部材７７の外面には、ガイド片８２の内面に位置する第１のガイド面８３と、その第１のガイド面８３と直交する第２のガイド面８４と、ガイド片８２の外面に位置する第３のガイド面８５とが形成されている。
このガイド部材７７は、図１２（Ａ）に示すように、ガイド片８２が収容部８０から上方へ突出して固定ガイド板７６の嵌合部７９に嵌合し、第１のガイド面８３が上下方向に、第２のガイド面８４が左右方向にそれぞれ露出する第１のガイド姿勢と、図１２（Ｂ）に示すように、ガイド片８２が収容部８０内に退避して両ガイド面８３，８４が露出しない第２のガイド姿勢との間で回転操作可能となっている。
【００２１】
第１のガイド姿勢では、嵌合部７９に嵌合するガイド片８２は、固定ガイド板７６よりも上方に突出し、第１のガイド面８３と第２のガイド面８４とは、図１４に示すように、小径の全ネジボルトＢ２を固定刃６０の刃部６０ａにセットした状態で、当該全ネジボルトＢ２の側面と下面とにそれぞれ当接するようにその後方延長上に位置する。第１のガイド面８３と第２のガイド面８４との間は、全ネジボルトＢ２の外形に合わせたＲ形状となっている。
一方、第２のガイド姿勢では、第１のガイド面８３の裏側に形成される第３のガイド面８５が本体部２の上面と連続して、図１３に示すように、大径の全ネジボルトＢ１をセットした状態で、第３のガイド面８５はハウジング６と同一面となり、ハウジング６と共に、全ネジボルトＢ１の下面が当接するようにその後方延長上に位置している。
なお、図１２に示すように、ガイド部材７７の前端面には、位置決め凹部８６，８６が形成されて、本体部２における収容部８０の前部内面には、ガイド部材７７の第１、第２のガイド姿勢で位置決め凹部８６，８６にそれぞれ嵌合してガイド部材７７を位置決めする位置決め凸部８７が突設されている。
【００２２】
以上の如く構成された全ネジカッタ１においては、まず、大径の全ネジボルトＢ１を切断する場合、ガイド部７５のガイド部材７７を第２のガイド姿勢に回転させる。すると、前述のように、固定刃６０の刃部６０ａの後方延長上に、固定ガイド板７６の外ガイド面７８，７８とガイド部材７７の第３のガイド面８５（及びハウジング６の上面）とが位置する。よって、図１３に示すように大径の全ネジボルトＢ１を固定刃６０と固定ガイド板７６及びガイド部材７７とにあてがって位置決めすることができる。
この状態でトリガ３０を押し操作すると、スイッチ２９がＯＮしてブラシレスモータ４０が駆動し、回転軸４５が回転して減速機構４１を介して出力ギヤ５３を回転させる。これにより、減速ギヤ７０を介してカムシャフト６９が回転し、カム６５が正回転することで、前述のように揺動体６２を揺動させて可動刃６１を閉動作させる。よって、固定刃６０との間で全ネジボルトＢ１を切断することができる。その後、カム６５が正回転を続けることで可動刃６１は開動作する。
【００２３】
一方、小径の全ネジボルトＢ２を切断する場合、ガイド片８２を引き出してガイド部材７７を第１のガイド姿勢に回転させる。すると、固定刃６０の刃部６０ａの後方延長上に、ガイド部材７７の第１のガイド面８３と第２のガイド面８４とが露出する。よって、図１４に示すように小径の全ネジボルトＢ２を固定刃６０とガイド部材７７のガイド片８２とにあてがって位置決めすることができる。
この状態でトリガ３０を押し操作すると、同様に揺動体６２が揺動して可動刃６１が閉動作し、固定刃６０との間で全ネジボルトＢ２を切断することができる。その後、カム６５が正回転を続けることで可動刃６１は開動作する。
こうして全ネジボルトＢ１，Ｂ２の切断作業を続けている間は、透明なＬＥＤホルダ１７によって左側ガード部１２の外側から切断部１０が視認できる。ＬＥＤ２５はスイッチ２９のＯＮと同時に点灯するため、暗所でも容易に視認できる。また、回転軸４５の回転によって遠心ファン４６が回転し、吸気口４７から外気を吸い込んでブラシレスモータ４０を通過させ、排気口４８から排出される。これにより、ブラシレスモータ４０を冷却することができる。
【００２４】
なお、図１５に示すように、本体部２の前側上部には、右側ガード部１１と左側ガード部１２とに上方から嵌合されて切断部１０を覆うカバー９０が装着可能となっている。このカバー９０は、図１６，１７に示すように、上面が左右のガード部１１，１２の上部に合わせて形成され、前後面が平坦面となって下面が開口するキャップ状で、前後面には、大径の全ネジボルトＢ１に対応する深溝部９１と、小径の全ネジボルトＢ２に対応する浅溝部９２とが、上下方向に凹設されている。
ここでは、全ネジカッタ１を、右側を下にして平坦面に横置きして定置切断する際、本体部２から取り外したカバー９０を全ネジカッタ１の後方に横置きすれば、ガイド部７５の後方で全ネジボルトＢ１，Ｂ２を水平に支持できるようになっている。
【００２５】
例えば、大径の全ネジボルトＢ１を定置切断する場合は、図１８，１９に示すように、ガイド部材７７を第２のガイド姿勢とした状態で、カバー９０を、深溝部９１を上にして固定ガイド板７６の後方延長上に位置するように平坦面Ｓに横置きすれば、外ガイド面７８，７８と深溝部９１との間に全ネジボルトＢ１を架け渡して水平に支持することができ、安定して切断作業が行える。小径の全ネジボルトＢ２を定置切断する場合は、ガイド部材７７を第１のガイド姿勢とした状態で、カバー９０をひっくり返し、浅溝部９２を上にして平坦面Ｓに横置きすれば、ガイド片８２と浅溝部９２との間に全ネジボルトＢ２を架け渡して水平に支持することができる。但し、深溝部９１と浅溝部９２とはカバー９０の前後面以外の面に設けてもよいし、互いに異なる面ではなく同じ面に並べて設けてもよい。
【００２６】
このように、上記形態の全ネジカッタ１によれば、固定刃６０と可動刃６１とによる切断位置の延長線上に、径が異なる複数の全ネジボルトＢ１，Ｂ２に対応して位置決め可能な第１〜第３のガイド面８３〜８５を備えたガイド部材７７が、各ガイド面８３〜８５の位置がそれぞれ異なる第１、第２のガイド姿勢を選択可能に設けられていることで、ガイド部材７７のガイド姿勢を選択するだけで、全ネジボルトＢ１，Ｂ２の径に合わせたガイド部材７７の調整をワンタッチで簡単に行うことができる。よって、操作性に優れたものとなる。
特にここでは、固定刃６０及び可動刃６１は、作動機構４２を収容するハウジング６から上方へ突出し、ガイド部材７７は、全ネジボルトＢ２の側面に当接する上下方向の第１のガイド面８３と、全ネジボルトＢ２の下面に当接する左右方向の第２のガイド面８４とをそれぞれ備えて、第１、第２のガイド姿勢の選択により第１、第２のガイド面８３，８４の位置を変更可能であるので、小径の全ネジボルトＢ２であってもガイド部材７７で簡単に位置決めすることができる。
【００２７】
また、ガイド部材７７は、第１、第２のガイド姿勢の選択により、第１、第２のガイド面８３，８４の位置を同時に変更可能であるので、全ネジボルトＢ１，Ｂ２の径に合わせたガイド姿勢の変更を容易に行うことができる。
さらに、第１のガイド面８３と第２のガイド面８４とは一体に形成されていることで、２つのガイド面８３，８４を備えたガイド部材７７を簡単に形成可能となる。
加えて、ガイド部材７７は、第１のガイド面８３と第２のガイド面８４とが直交して形成される横断面Ｌ字形状を有し、前後方向を軸として回転させることで第１、第２のガイド姿勢が選択可能であるので、回転操作によってガイド姿勢の選択が容易に行える。
【００２８】
そして、ガイド部材７７は、第１のガイド面８３と第２のガイド面８４とが露出して第１の径の全ネジボルトＢ２が当接可能な第１のガイド姿勢と、第１のガイド面８３と第２のガイド面８４とがハウジング６内に退避して、新たに露出する第３のガイド面８５に第１の径よりも大きい第２の径の全ネジボルトＢ１が当接可能な第２のガイド姿勢と、に選択可能であることで、２種類の径の全ネジボルトＢ１，Ｂ２に対して簡単に位置決めが可能となる。
特に、ハウジング６に、ガイド部材７７の第２のガイド姿勢で全ネジボルトＢ１の側面が当接可能な固定ガイド板７６が設けられているので、全ネジボルトＢ１を確実に位置決めすることができる。
【００２９】
なお、ガイド部材に係る発明において、上記形態では、ガイド部材の第１のガイド面と第２のガイド面とを直交状に形成しているが、ガイド面はこの形状に限らず、例えば全ネジボルトの外形に沿ったＵ字状や半円状としてもよい。ガイド面の数も、例えばガイド片を位相を変えて増やすことで、各ガイド片の間にそれぞれガイド面を形成して、ガイド部材の回転操作で３種以上の全ネジボルトの径に合わせてガイド姿勢を選択することも可能である。
また、ガイド部材は回転操作に限らず、複数のガイド面を直線上或いは曲線上に並設した棒状のガイド部材を左右方向にスライド操作することで、全ネジボルトの径に合わせてガイド姿勢を選択可能とすることも可能である。
さらに、ガイド部の位置も、ハウジングの上面に限らず、側面や前面にあっても本発明は適用可能であるし、固定ガイド板は省略することもできる。
【００３０】
一方、上記形態の全ネジカッタ１によれば、ハウジング６に、可動刃６１の外側を部分的に覆う左側ガード部１２が形成されて、左側ガード部１２における可動刃６１の上方部分（ＬＥＤホルダ１７の上壁部１９）が透明であることで、切断部１０が視認しやすくなって可動刃６１の位置が分かりやすくなる。
特にここでは、左側ガード部１２における可動刃６１の後方部分（後壁部１８）も透明であるので、可動刃６１の位置が上方から一層分かりやすくなる。
また、左側ガード部１２における透明な上壁部１９と後壁部１８とは連続しているので、透明部分が一体に表れてより視認性が高くなる。
【００３１】
さらに、左側ガード部１２における透明な上壁部１９と後壁部１８とは一体に形成されているので、透明部分の形成が容易となる。
加えて、可動刃６１の近傍に、可動刃６１の作動時に発光するＬＥＤ２５が設けられて、ＬＥＤ２５の発光により、左側ガード部１２におけるＬＥＤホルダ１７が発光することで、暗所でも切断部１０及び可動刃６１の視認性が確保できる。
そして、ＬＥＤ２５は可動刃６１に向けて発光し、左側ガード部１２に、ＬＥＤ２５と可動刃６１との間に延びる仕切部２０が設けられることで、ハウジング６内への異物の混入が防止される。
【００３２】
なお、ガード部の透明に係る発明において、上記形態では、ＬＥＤホルダの全体を透明としているが、後壁部と上壁部とにおける一部のみを透明としてもよいし、上壁部のみを透明としてもよい。この場合、一体成形でなく、後壁部と上壁部、仕切部の透明部分をそれぞれ別体に形成して非透明部分に結合しても差し支えない。
また、ＬＥＤ等の光源は異なる場所に設けてもよいし、光源は省略してもよい。
さらに、上記形態では左側ガード部に透明部分を形成しているが、右側ガード部にも透明部分を形成してもよい。
【００３３】
その他、各発明に共通して、モータはブラシレスモータに限らず、整流子モータやアウタロータ型であってもよいし、バッテリーパックを電源とするＤＣ切断機に限らず、電源コードを備えるＡＣ切断機であってもよい。切断対象も全ネジボルトに限らず、鉄筋や針金等の棒材も含まれる。切断刃の構成も、固定刃と可動刃とが左右逆であったり、両刃とも可動刃であったりしてもよい。
【符号の説明】
【００３４】
１・・全ネジカッタ、２・・本体部、３・・ハンドル部、６・・ハウジング、６ａ，６ｂ・・半割ハウジング、７・・前カバー、１０・・切断部、１１・・右側ガード部、１２・・左側ガード部、１７・・ＬＥＤホルダ、１８・・後壁部、１９・・上壁部、２０・・仕切部、２５・・ＬＥＤ、２９・・スイッチ、３２・・コントローラ、３４・・バッテリーパック、４０・・ブラシレスモータ、４１・・減速機構、４２・・作動機構、４５・・回転軸、５３・・出力ギヤ、６０・・固定刃、６０ａ・・刃部、６１・・可動刃、６１ａ・・刃部、６２・・揺動体、６３・・揺動軸、６４・・リターンプレート、６５・・カム、６８・・カム孔、７１・・カム面、７５・・ガイド部、７６・・固定ガイド板、７７・・ガイド部材、７８・・外ガイド面、８０・・収容部、８１・・軸、８２・・ガイド片、８３・・第１のガイド面、８４・・第２のガイド面、８５・・第３のガイド面、９０・・カバー。
【図１】
2019030937.tif 000003
【図２】
2019030937.tif 000004
【図３】
2019030937.tif 000005
【図４】
2019030937.tif 000006
【図５】
2019030937.tif 000007
【図６】
2019030937.tif 000008
【図７】
2019030937.tif 000009
【図８】
2019030937.tif 000010
【図９】
2019030937.tif 000011
【図１０】
2019030937.tif 000012
【図１１】
2019030937.tif 000013
【図１２】
2019030937.tif 000014
【図１３】
2019030937.tif 000015
【図１４】
2019030937.tif 000016
【図１５】
2019030937.tif 000017
【図１６】
2019030937.tif 000018
【図１７】
2019030937.tif 000019
【図１８】
2019030937.tif 000020
【図１９】
2019030937.tif 000021